(57)【要約】【課題】セキュリティを確保しつつ、ＯＳの更新を自動的に行うことが可能な医用画像診断システム、医用画像診断装置及びプログラムを提供すること。【解決手段】サーバ１に、医用画像診断装置の制御プログラムの更新用プログラムを含むＤＩＣＯＭ規格の形式で定義された情報を記憶する記憶手段１４と、医用画像診断装置に、ＤＩＣＯＭ規格に沿った通信プロトコルに基づいて更新用プログラムを含む情報を送信する送受信手段１６とを有し、医用画像診断装置２に、更新用プログラムを含む情報を受信する送受信手段２６と、受信した情報から更新用プログラムを取り出し、取り出した更新用プログラムを用いて自己の制御プログラムを更新する更新手段としての機能を有する制御部２１とを有する。【選択図】図１
2009022490.tif 000002
【特許請求の範囲】
【請求項１】
ネットワークに接続され、外部とＤＩＣＯＭ規格に沿った通信プロトコルに従って通信可能な医用画像診断装置を含む医用画像診断システムであって、
前記医用画像診断装置と前記ネットワークを介して接続され、前記医用画像診断装置と前記ＤＩＣＯＭ規格に沿った通信プロトコルに従って通信可能なサーバを含み、
前記サーバは、
前記医用画像診断装置の制御プログラムの更新用プログラムを含むＤＩＣＯＭ規格の形式で定義された情報を記憶する記憶手段と、
前記医用画像診断装置に、前記ＤＩＣＯＭ規格に沿った通信プロトコルに基づいて前記更新用プログラムを含む情報を送信する送信手段とを有し、
前記医用画像診断装置は、
前記情報を受信する受信手段と、
前記受信した更新用プログラムを含む情報から前記更新用プログラムを取り出し、前記取り出した更新用プログラムを用いて自己の制御プログラムを更新する更新手段とを有することを特徴とする医用画像診断システム。
【請求項２】
前記更新用プログラムは、前記ＤＩＣＯＭ規格により規定される非画像データ領域に書き込まれる請求項１に記載の医用画像診断システム。
【請求項３】
前記医用画像診断装置は、
予め定められた更新時期であることを検知する検知手段をさらに有し、
前記更新手段は、前記自己の制御プログラムの更新を前記検知手段が前記更新時期であることを検知したときに実行する請求項１または請求項２に記載の医用画像診断システム。
【請求項４】
前記更新時期は、電源シャットダウンのタイミングである請求項３に記載の医用画像診断システム。
【請求項５】
前記医用画像診断装置の制御プログラムには、コンピュータのＯＳ（Ｏｐｅｒａｔｉｎｇ  Ｓｙｓｔｅｍ）が用いられ、
前記更新される制御プログラムは、コンピュータのＯＳである請求項１乃至請求項４のいずれかに記載の医用画像診断システム。
【請求項６】
ネットワークに接続され、外部とＤＩＣＯＭ規格に沿った通信プロトコルに従って通信可能な医用画像診断装置であって、
前記ネットワークを介して、自己の制御プログラムの更新用プログラムを含むＤＩＣＯＭ規格の形式で定義された情報を前記ＤＩＣＯＭ規格に沿った通信プロトコルに従って受信する受信手段と、
前記受信した更新用プログラムを含む情報から前記更新用プログラムを取り出し、前記取り出した更新用プログラムを用いて自己の制御プログラムを更新する更新手段とを有することを特徴とする医用画像診断装置。
【請求項７】
ネットワークに接続され、外部とＤＩＣＯＭ規格に沿った通信プロトコルに従って通信可能な医用画像診断装置に、
前記ネットワークを介して、自己の制御プログラムの更新用プログラムを含むＤＩＣＯＭ規格の形式で定義された情報をＤＩＣＯＭ規格に沿った通信プロトコルに従って受信する手順と、
前記受信した更新用プログラムを含む情報から前記更新用プログラムを取り出す手順と、
前記取り出した更新用プログラムを用いて自己の制御プログラムを更新する手順とを実行させるためのプログラム。
【発明の詳細な説明】
【技術分野】
【０００１】
本発明は、医用画像診断システム、医用画像診断装置及びプログラムに関し、特に医用画像診断装置の制御プログラムを更新する技術に関する。
【背景技術】
【０００２】
近年、医療情報を電子的に管理する病院情報システム（Ｈｏｓｐｉｔａｌ  Ｉｎｆｏｒｍａｔｉｏｎ  Ｓｙｓｔｅｍ：ＨＩＳ）や医用画像を管理する医用画像管理システム（Ｐｉｃｔｕｒｅ  Ａｒｃｈｉｖｅ  Ｃｏｍｍｕｎｉｃａｔｉｏｎ  Ｓｙｓｔｅｍ：ＰＡＣＳ）、放射線部門における検査情報を管理する放射線部門管理システム（Ｒａｄｉｏｌｏｇｙ  Ｉｎｆｏｒｍａｔｉｏｎ  Ｓｙｓｔｅｍ：ＲＩＳ）等が導入されており、さらに、検査技師等による検査結果の読影や検査報告書の作成・管理を支援するために、医用情報管理システムが構築されているが、このようなシステムでは、医用画像通信規約（ＤＩＣＯＭ：Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ）などが採用されている。
【０００３】
この医用画像通信規約（ＤＩＣＯＭ）は、病院内外で、異なった製造業者（ベンダー）の、異なった種類のモダリティを、ネットワークあるいは医用画像保存媒体で、相互に接続して、患者の医用画像検査情報のやり取りや医用画像データの伝送などを実現することを目的としたものである。
【０００４】
また、上記各種装置を診療の目的に応じて高速ネットワークを介して相互に接続することにより、これまでのフィルムを中心とした医用画像診断システムの問題点である保管場所不足、フィルムの紛失、遅い配送などといった問題を克服し、医用画像処理、コンピュータ支援診断、総合医用画像診断などといった新しい医用画像診断の付加価値を享受できるようになった（例えば、特許文献１参照）。
【０００５】
一方、上記のようなシステムで用いられるモダリティである医用画像診断装置の制御プログラムとしてコンピュータのＯＳ（Ｏｐｅｒａｔｉｎｇ  Ｓｙｓｔｅｍ）が用いられる。通常、コンピュータは、Ｔｅｌｎｅｔ、ＦＴＰなどの汎用的な通信プロトコルが利用されているが、これらの通信プロトコルを用いた通信では、外部からコンピュータのＯＳのセキュリティホールを狙った攻撃やウイルスの侵入の危機に晒されることになる。これはコンピュータのＯＳを用いる医用画像診断装置でも同様であり、セキュリティの確保が必要である。
【０００６】
また、コンピュータのＯＳは、セキュリティホール対策などの理由から更新を行う必要がある。多くの場合、汎用的な通信プロトコルに従って更新用プログラムを受信し自己の０Ｓを更新するようになっている。医用画像診断装置の場合も同様にしてＯＳを更新することが可能である。しかしながら、医用画像診断装置はコンピュータとは異なり、更新用プログラムが医用画像診断装置の動作を保証するとは限らず、ＯＳの更新によって正常に動作しなくなる場合がある。
【０００７】
そこで、上述のようなシステムの中には、ファイヤーウォールを用いてＤＩＣＯＭによる通信に必要なポートのみを開放し他のポートを閉鎖することにより、コンピュータのＯＳのセキュリティホールを狙った攻撃を避け、セキュリティの確保を図ったものがある。
【０００８】
これによれば、セキュリティの確保を図るとともに、汎用的な通信プロトコルを用いたＯＳの更新は出来なくなり、ユーザのＯＳの勝手な更新による動作の不具合の発生を免れることができる。
【０００９】
【特許文献１】特開２００２−２６９５３５号公報
【発明の開示】
【発明が解決しようとする課題】
【００１０】
上述のように汎用的な通信プロトコルを用いたＯＳの更新は出来ない。そこで、ファイヤーウォールによりセキュリティの確保を図った場合には、例えばサービスマンが出向き、更新用プログラムを記録したＣＤなどの記録媒体を用いてＯＳの更新を行わざるを得なかった。つまり、上述のようにしてセキュリティの確保及び動作保証は可能となるが、ＯＳの更新をサービスマンによる作業に頼るため、無駄なコストや労力を費やしていた。
【００１１】
また、サービスマンによるＯＳの更新中は、医用画像診断装置が使用出来ないといった問題があった。また、その問題を避けるためは、サービスマンは、医用画像診断装置を使用しない限られた時間にＯＳの更新を行うしかなかった。
【００１２】
本発明は、上記事情に鑑みてなされたものであり、その目的とするところは、セキュリティを確保しつつ、ＯＳの更新を自動的に行うことが可能な医用画像診断システム、医用画像診断装置及びプログラムを提供することにある。
【課題を解決するための手段】
【００１３】
上記課題を解決するために請求項１記載の発明は、ネットワークに接続され、外部とＤＩＣＯＭ規格に沿った通信プロトコルに従って通信可能な医用画像診断装置を含む医用画像診断システムであって、前記医用画像診断装置と前記ネットワークを介して接続され、前記医用画像診断装置と前記ＤＩＣＯＭ規格に沿った通信プロトコルに従って通信可能なサーバを含み、前記サーバは、前記医用画像診断装置の制御プログラムの更新用プログラムを含むＤＩＣＯＭ規格の形式で定義された情報を記憶する記憶手段と、前記医用画像診断装置に、前記ＤＩＣＯＭ規格に沿った通信プロトコルに基づいて前記更新用プログラムを含む情報を送信する送信手段とを有し、前記医用画像診断装置は、前記更新用プログラムを含む情報を受信する受信手段と、前記受信した更新用プログラムを含む情報から前記更新用プログラムを取り出し、前記取り出した更新用プログラムを用いて自己の制御プログラムを更新する更新手段とを有することを特徴としている。
【００１４】
また、請求項６記載の発明は、ネットワークに接続され、外部とＤＩＣＯＭ規格に沿った通信プロトコルに従って通信可能な医用画像診断装置であって、前記ネットワークを介して、自己の制御プログラムの更新用プログラムを含むＤＩＣＯＭ規格の形式で定義された情報を前記ＤＩＣＯＭ規格に沿った通信プロトコルに従って受信する受信手段と、前記受信した更新用プログラムを含む情報から前記更新用プログラムを取り出し、前記取り出した更新用プログラムを用いて自己の制御プログラムを更新する更新手段とを有することを特徴としている。
【００１５】
また、請求項７記載の発明は、ネットワークに接続され、外部とＤＩＣＯＭ規格に沿った通信プロトコルに従って通信可能な医用画像診断装置に、前記ネットワークを介して、自己の制御プログラムの更新用プログラムを含むＤＩＣＯＭ規格の形式で定義された情報をＤＩＣＯＭ規格に沿った通信プロトコルに従って受信する手順と、前記受信した更新用プログラムを含む情報から前記更新用プログラムを取り出す手順と、前記取り出した更新用プログラムを用いて自己の制御プログラムを更新する手順とを実行させるためのプログラムことを特徴としている。
【発明の効果】
【００１６】
本発明によれば、ＯＳの更新用のプログラムをＤＩＣＯＭ規格の形式で定義された情報として扱うので、ＤＩＣＯＭ規格に沿った通信プロトコルに従う通信によりＯＳの更新用のプログラムの送受信が可能で、自動更新が可能となり、コンピュータのＯＳのセキュリティホールを狙った攻撃を避け、セキュリティの確保を図ることが可能となる。
【発明を実施するための最良の形態】
【００１７】
以下、本発明に係る医用画像診断システムの一実施の形態ついて図面を参照しつつ説明する。
【００１８】
〔システム構成〕
図１は、本発明に係る医用画像診断システムの一実施形態の構成を示す機能ブロック図である。図１に示すように、本医用画像出力システムは、ネットワークＮに接続される、サーバ１、医用画像診断装置２ａ、２ｂ（まとめて医用画像診断装置２と表示することがある）、医用画像を管理するＰＡＣＳ３（Ｐｉｃｔｕｒｅ  Ａｒｃｈｉｖｅ  Ｃｏｍｍｕｎｉｃａｔｉｏｎ  Ｓｙｓｔｅｍ：医用画像管理システム）、放射線部門における検査情報を管理するＲＩＳ４（Ｒａｄｉｏｌｏｇｙ  Ｉｎｆｏｒｍａｔｉｏｎ  Ｓｙｓｔｅｍ：放射線部門管理システム）、及び、医療情報を管理するＨＩＳ５（Ｈｏｓｐｉｔａｌ  Ｉｎｆｏｒｍａｔｉｏｎ  Ｓｙｓｔｅｍ：病院情報システム）を含んで構成される。
【００１９】
ネットワークＮは、各々を相互に接続するものであり、いわゆる、ＬＡＮ（Ｌｏｃａｌ  Ａｒｅａ  Ｎｅｔｗｏｒｋ）やインターネットなどである。
【００２０】
また、各々は、ネットワークＮを介して、相互にＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ：医用画像通信規約）規格に沿った通信プロトコルにより各種情報などの送受信が可能になされている。また、本実施の形態では、サーバ１と各医用画像診断装置２との間にＤＩＣＯＭ規格におけるＰｒｉｖａｔｅなＳＯＰ（Ｓｅｒｖｉｃｅ  Ｏｂｊｅｃｔ  Ｐａｉｒ）クラスが定義され、サーバ１がＳＣＰ（Ｓｅｒｖｉｃｅ  Ｃｌａｓｓ  Ｐｒｏｖｉｄｅｒ）、医用画像診断装置２がＳＣＵ（Ｓｅｒｖｉｃｅ  Ｃｌａｓｓ  Ｕｓｅｒ）としての役割を担うものである。したがって、医用画像診断システムを構成する各々の通信手段は、ファイヤーウォールを用いてネットワークＮに対しＤＩＣＯＭ規格に沿った通信プロトコルに必要なポートのみを開放していればよく、セキュリティが確保できる。
【００２１】
ここで、本実施の形態の医用画像診断システムは、上述のようにＤＩＣＯＭ規格に沿った通信プロトコルによる通信を行う。したがって、ＤＩＣＯＭ規格の形式で定義された情報を用いることになる。そこで、本実施の形態は、更新用プログラムを非画像領域、具体的にはＤＩＣＯＭ規格におけるＮｏｎ  Ｉｍａｇｅフォーマットに書き込みＤＩＣＯＭ規格の形式で定義された情報（以下、更新用ファイルという）として扱うようにしたことを特徴とする。以下の説明における送信及び受信は、特に記載しないがＤＩＣＯＭ規格に沿った通信プロトコルに基づいて行われる。
【００２２】
（サーバの構成）
サーバ１は、記憶部１２、通信手段である送受信手段１６、入力手段１５及び制御部１１を含んで構成され、ＯＳ（Ｏｐｅｒａｔｉｎｇ  Ｓｙｓｔｅｍ）の更新用プログラムを格納し、ネットワークを介しての要求に応じて制御プログラムを送信する機能を有する。また、ＤＩＣＯＭに対応したＤＩＣＯＭサーバである。
【００２３】
制御部１１は、ＣＰＵ等の演算制御装置（図示省略）によって構成され、ＲＯＭ等のプログラム格納部（図示省略）に格納されたコンピュータプログラムを実行することにより装置各部の制御を行う。
【００２４】
入力手段１５は、キーボード等の入力デバイスや、マウス・トラックボール等のポインティングデバイスなど、オペレータが各種の入力操作を行うためのデバイスと、ＣＤ等の記録媒体が着脱可能になされ、記録媒体に記録された情報の読み取りが可能な読取り装置とを含んで構成される。入力手段１５は、記録媒体に書込まれた、ＯＳの更新用プログラムを含む更新用ファイルを読み取って、制御部１１へ出力する。制御部１１は、更新用ファイルを受けて、記憶部１２に記憶する。
【００２５】
また、更新用ファイルはメーカが記録媒体に書き込み配信したものを例えば医用画像診断システムの管理者が受取り上記のように入力手段１５から入力する。また、本システムとは別のネットワークを介してダウンロードして受取ってもよい。
【００２６】
記憶部１１は、ハードディスクドライブ等の記憶装置によって構成され、更新用ファイルを記憶する更新用ファイル記憶部１４と、更新用ファイルの各医用画像診断装置２への配信状況、すなわち各医用画像診断装置２に対する更新用ファイル毎に未配信か配信済みかを記憶する配信情報ＤＢ（データベース）１３を含んでいる。図２に配信情報ＤＢ１３の構成の一例を示す。図２に示すように配信情報ＤＢ１３は、装置ごとに更新用ファイルのそれぞれについて未配信か配信済みかを記憶する。
【００２７】
送受信手段１６は、送受信インターフェイス回路などから構成され、ＤＩＣＯＭ規格の沿った通信プロトコルで各種情報を送受信する機能を有する。送受信手段１６は、医用画像診断装置２から更新用ファイルの送信指示を受け、制御部１１に送り、制御部１１の指示に従って更新用ファイルを要求のあった医用画像診断装置２に送信する。すなわち、本発明の送信手段としての機能を有する。
【００２８】
制御部１１は、送受信手段１６を介して医用画像診断装置２から更新用ファイルの送信指示を受けると、配信情報ＤＢ（データベース）１３を検索して要求のあった医用画像診断装置２への未配信の更新用ファイルの有無を判定する判定手段としての機能を有し、有りの場合に該当する未配信の更新用ファイルを更新用ファイル記憶部１４から読み出して、送受信手段１６を介して要求のあった医用画像診断装置２へ送信する。また、無しの場合には、その旨を示す情報を送受信手段１６を介して要求のあった医用画像診断装置２へ送信する。
【００２９】
（医用画像診断装置の構成）
医用画像診断装置２は、患者の検査を行い、医用画像を示す医用画像データを取得して、ＰＡＣＳ３等に送るためのものである。また、医用画像診断装置２は、記憶手段２４、通信手段である送受信手段２６、入力手段２５、ハードウェア群２７及び制御部２１を含んで構成される。
【００３０】
ハードウェア群２７は、制御部２１に制御されて、患者の検査を行い、医用画像を示す医用画像データを取得する機能を有している。
【００３１】
入力手段２５は、キーボード等の入力デバイスや、マウス・トラックボール等のポインティングデバイスなど、オペレータが各種の入力操作を行うためのデバイスとを含んで構成される。
【００３２】
送受信手段２６は、送受信インターフェイス回路などから構成され、ＤＩＣＯＭ規格の沿った通信プロトコルで各種情報を送受信する機能を有する。また、制御部２１の指示に従って、更新用ファイルの送信要求を行い、更新用ファイルを受信し制御部２１へ送る機能を有する。すなわち、本発明の受信手段としての機能を有する。
【００３３】
記憶手段２４は、ハードディスクドライブ等の記憶装置や不揮発メモリで構成され、電源起動時の制御を行うための起動用プログラム、ＯＳ、本装置を制御するためのプログラム、及び、プログラムを実行するときに必要なパラメータを記憶する。また、ＯＳを更新するためのプログラムは本装置を制御するためのプログラムに含まれている（以下、本装置を制御するプログラムを単にプログラムという。）。また、パラメータには、後述の更新用ファイルを取得する取得時期やＯＳの更新時期などが含まれる。例えば、図３に示すように記憶手段２４に記憶される情報の構成を示すが、各プログラム等は図３に示すように記憶されている。また、ＯＳやプログラムは、圧縮されて格納されている。また、図３に示すように記憶手段２４には、その他の情報を記憶するための領域を有し、例えば、更新用のファイルやハードウェア群２７で取得した画像データなどを記憶する。
【００３４】
制御部２１は、ＣＰＵ２２及びＲＡＭ２３を含んで構成される。制御部２１は、装置の電源起動時に起動用プログラムに従って記憶手段２４からＯＳ、プログラム及び各種パラメータ等を読み出して伸長処理などをおこなってＲＡＭ２３に記憶する。ＣＰＵ２２は、ＲＡＭ２３に記憶されたＯＳ、プログラム、各種パラメータまたは入力手段２５からの指示信号に基づいて装置全体の制御を行う制御手段としての機能を有する。
【００３５】
また、制御部２１は、更新用ファイルを受けて記憶手段２４に記憶されているＯＳを更新する本発明の更新手段としての機能を有する。
【００３６】
具体的には、制御部２１は、ＲＡＭ２３に記憶されたパラメータが示す更新用ファイルを取得する時期を検知する検知手段としての機能を有し、取得時期を検知したら、送受信手段２６を介してサーバ１に対して更新用ファイルの送信要求を送る。ここで、更新用ファイルを取得する時期を、例えば、その日の初めて装置を起動したとき、などとすることにより、他の情報を取得するときに同時に行うことができる。
【００３７】
制御部２１は、この送信要求に基づいてサーバ１から更新用ファイルの送信を受け、送受信手段２６で受信した更新用ファイルを記憶手段２４に記憶させる。
【００３８】
そして、制御部２１は、ＲＡＭ２３に記憶されたパラメータが示す更新時期を検知する検知手段としての機能を有し、更新時期を検知したら、記憶手段２４に記憶した更新用ファイルを検索し、Ｎｏｎ  Ｉｍａｇｅフォーマットに書き込まれた更新用プログラムを読み出して、その読み出した更新用プログラムを用いて記憶手段２４に記憶されているＯＳを更新する。このときＲＡＭ２３には、電源起動時に読み出して記憶した更新前のＯＳが記憶されているが、電源をシャットダウンし再度電源を起動するいわゆる再起動を行うことにより更新後のＯＳが読み出されＲＡＭ２３に記憶されることになる。
【００３９】
例えば、更新用ファイルを取得すると同時に更新を行うと、再起動が必要となり装置の稼動を妨げる場合が発生する。そこで、更新時期を、例えば、電源のシャットダウンを検知したとき、すなわち入力手段２５を用いて電源をシャットダウンする旨の入力を検知したときとすれば、装置が使用されている時期の更新を避けることができ、さらに、次の電源起動の後は更新後のＯＳに基づいて制御されることになるから、いわゆる再起動の必要がなくなる。また、更新時期は、使用が中断されるタイミング（休止する旨の入力を検知したとき）や、検査終了のタイミング（検査終了の旨の入力を検知したとき）などでもよい。
【００４０】
（ＯＳの更新手順）
図４乃至図６は、それぞれＯＳの更新手順を示すフローチャート図である。図４乃至図６を用いてＯＳの更新手順について説明する。
【００４１】
初めに、更新用ファイルを次のようにして記憶する。まず、管理者は、ＯＳの更新用プログラムを含む更新用ファイルが書き込まれたＣＤなどの記録媒体をメーカから受け、サーバ１の入力手段１５に装着する。入力手段１５は、更新用ファイルを読み取って制御部１１へ送る。制御部１１は、更新用ファイルを更新用ファイル記憶部１４に記憶するとともに、配信情報ＤＢ１３を更新する。配信情報ＤＢ１３には、新たに記憶された更新用ファイルのファイル名が追加され、各装置に対し未配信である旨が記録される。
【００４２】
まず、図４に示すように、医用画像診断装置２において、制御部２１は、ＲＡＭ２３に記憶されたパラメータが示す更新用ファイルの取得時期の検知を行い、取得時期であれば（ステップＳ１０１、Ｙ。以下、ステップＳ１０１をＳ１０１と省略して記載する。また、他のステップも同様に省略して記載する。）、送受信手段２６を介してサーバ１に対して更新用ファイルの送信要求を送る（Ｓ１０２）。
【００４３】
ここで図５に示すようにサーバ１において、送受信手段１６は医用画像診断装置２から更新用ファイルの送信指示を受信し、制御部１１は、その送信指示を受けて（Ｓ２０１、Ｙ）、配信情報ＤＢ１３を検索する（Ｓ２０２）。そして、制御部１１は、要求のあった医用画像診断装置２への未配信の更新用ファイルの有無を判定する。未配信の更新用ファイルがあれば（Ｓ２０３、Ｙ）、制御部１１は、該当する未配信の更新用ファイルを更新用ファイル記憶部１４から読み出して、送受信手段１６を介して要求のあった医用画像診断装置２へ送信し、配信情報ＤＢ１３の送信した更新用ファイルの配信情報を更新する（Ｓ２０４）。また、未配信の更新用ファイルがなければ（Ｓ２０３、Ｙ）、制御部１１は、その旨を示す情報を送受信手段１６を介して要求のあった医用画像診断装置２へ送信する（Ｓ２０５）。
【００４４】
再び図４に戻り、医用画像診断装置２において、先に送信した送信要求に対し更新用ファイルが送られてきた場合には送受信手段２６はこれを受信し（Ｓ１０３、Ｙ）、制御部２１は、受信した更新用ファイルを記憶手段２４に記憶させる（Ｓ１０４）。一方、先に送信した送信要求に対し未配信の更新用ファイルがない旨を示す情報が送られてきた場合には送受信手段２６はこれを受信して（Ｓ１０３、Ｎ）終了する。
【００４５】
さらに、図６に示すように、医用画像診断装置２において、制御部２１は、ＲＡＭ２３に記憶されたパラメータが示す更新時期の検知を行い、更新時期であれば（Ｓ３０１、Ｙ）、制御部２１は、記憶手段２４を検索し、更新用ファイルがあれば（Ｓ３０２、Ｙ）、制御部２１は、更新用ファイルのＮｏｎ  Ｉｍａｇｅフォーマットに書き込まれた更新用プログラムを読み出して（Ｓ３０３）、その読み出した更新用プログラムを用いて記憶手段２４に記憶されているＯＳを更新する（Ｓ３０４）。更新用ファイルがなければ（Ｓ３０２、Ｎ）終了する。
【００４６】
このように、ＯＳの更新用のプログラムをＤＩＣＯＭ規格の形式で定義された情報として扱うので、ＯＳの更新用のプログラムをＤＩＣＯＭ規格に沿った通信プロトコルに従って送受信できる。これにより、自動更新が可能となり、コンピュータのＯＳのセキュリティホールを狙った攻撃を避け、セキュリティの確保を図ることが可能となる。
【００４７】
また、上記の実施の形態では、サーバ１のようなＤＩＣＯＭサーバを設け、更新用ファイルを記憶するとともに医用画像診断装置２への送信を行うようにしたが、このサーバ１の機能をＰＡＣＳ３、ＲＩＳ４及びＨＩＳ５などの医用画像診断システムに接続されたサーバに備えるようにしてもよい。
【図面の簡単な説明】
【００４８】
【図１】本実施の形態に係る医用画像診断システムの一実施の形態を示す機能ブロック図である。
【図２】配信情報ＤＢの構成を示す図である。
【図３】医用画像診断装置の記憶手段に記憶される情報の構成を示す図である。
【図４】本発明に係る医用画像診断システムの医用画像診断装置における動作の一例を表すフローチャートである。
【図５】本発明に係る医用画像診断システムのサーバにおける動作の一例を表すフローチャートである。
【図６】本発明に係る医用画像診断システムの医用画像診断装置における動作の一例を表すフローチャートである。
【符号の説明】
【００４９】
１  サーバ
１１  制御部
１２  記憶部
１３  配信情報ＤＢ
１４  更新用ファイル記憶部
１５  入力手段
１６  送受信手段
２  医用画像診断装置
２１  制御部
２２  ＣＰＵ
２３  ＲＡＭ
２４  記憶手段
２５  入力手段
２６  送受信手段
２７  ハードウェア群
３  ＰＡＣＳ
４  ＲＩＳ
５  ＨＩＳ
【図１】
2009022490.tif 000003
【図２】
2009022490.tif 000004
【図３】
2009022490.tif 000005
【図４】
2009022490.tif 000006
【図５】
2009022490.tif 000007
【図６】
2009022490.tif 000008